(57)【要約】  本発明は、本のページを容易に探すことができるように挿して置くしおり紐固定用クリップであって、本のページの間に介されるしおり紐が結ばれる細いリング形態の環部１０と、上記環部１０から長く延びて、本の綴り部の外面に固定される外面クリップ部２０と、上記環部１０から外面クリップ部２０と間隔を置いて外面クリップ部２０より長く延びて、端部へ行くほど外面クリップ部２０に一層近接するように延びて、端部が外面クリップ部２０方向に折曲され、本の綴り部（Ｂ）の内面に弾性的に固定される内面クリップ部３０とからなる。
2009513390.tif 000002
【特許請求の範囲】
【請求項１】
本のページを容易に探すことができるように挿して置くしおり紐固定用クリップであって、
本のページの間に介されるしおり紐が結ばれる細いリング形態の環部と、
前記環部から長く延びて、本の綴り部の外面に固定される外面クリップ部と、
前記環部から外面クリップ部と間隔を置いて外面クリップより長く延びて、端部へ行くほど外面クリップ部に一層近接するように延びて、端部が外面クリップ部方向に折曲され、本の綴り部の内面に弾性的に固定される内面クリップ部と、
からなることを特徴とするしおり紐固定用クリップ。
【請求項２】
前記内面クリップ部の端部は、歯形で形成されることを特徴とする請求項１に記載のしおり紐固定用クリップ。
【請求項３】
前記環部、外面クリップ部、及び内面クリップ部は、針金、ステンレス、鋼鉄、合成樹脂の中から選択された１種の材質により一体成形されることを特徴とする請求項１または２に記載のしおり紐固定用クリップ。
【請求項４】
前記環部、外面クリップ部、及び内面クリップ部は、合成樹脂材質からなり、その内部に鉄心が埋め込まれることを特徴とする請求項３に記載のしおり紐固定用クリップ。
【請求項５】
前記外面クリップ部は内面クリップ部より幅が広く、本の綴り部の外面と接触する前記外面クリップ部の面は平面であることを特徴とする請求項４に記載のしおり紐固定用クリップ。
【発明の詳細な説明】
【技術分野】
【０００１】
本発明はしおりに関し、より詳しくは、しおり紐の着脱が迅速かつ便利で、多様な書籍に利用が可能で、堅く固定されて紛失が防止されるしおり紐固定用クリップに関する。
【背景技術】
【０００２】
一般に、本は主にしおりがない形態で製本されるため、読んでいた個所をまた探すために本のページの一部を折って表示するか、様々な広告内容が印刷された別のしおりを使用して表示している。
【０００３】
しかしながら、本のページを折って表示する場合に、本が損傷されて美観上よくないし、単純に厚い紙やコーティングされた紙からなるしおりを使用すると、紛失しやすいだけでなく、よく目に止まらない。
【０００４】
しおりは、読んでいた個所を後に容易に探すことができるように、ページの間に挟むものであるが、本の種類によって、スリップ型しおり、ステッカー型しおり、紐型しおり、クリップ型しおりなどがある。
【０００５】
その中で、スリップ型しおりはよく目に止まらないとか、容易に離脱され、ステッカー型しおりは接着力が弱くなって長い間使用することができず、紐型しおりは多少高級な感じを与えるが、紐が擦れるか擦り切れる問題がある。
【０００６】
したがって、多様な書籍に使用が可能で、よく目に止まり、かつ容易に摩耗しないクリップ型しおりが好まれているが、従来のクリップ型しおりは、Ｕ字状で両側に間隔を置いて形成されたクリップの間に本のページを弾性的に結合して固定する。
【０００７】
しかしながら、このようなクリップ型しおりは、本のページに挟持されるため、本のページ面に沿って滑って離脱する恐れがあり、本のページが薄い場合、スクラッチングされながら損傷されやすくて、硬い感じを与えて、かつ複数のページを一度に表示できない問題点がある。
【発明の開示】
【発明が解決しようとする課題】
【０００８】
本発明は、上記のような従来技術の問題点を解決するために案出したものであって、着脱が簡便で、かつ容易に離脱せず、本のページが損傷されないだけでなく、複数のページを一度に表示することができ、かつ高級な雰囲気を演出するしおり紐固定用クリップを提供することをその目的とする。
【課題を解決するための手段】
【０００９】
このような目的を達成するための本発明のしおり紐固定用クリップは、本のページを容易に探すことができるように挿して置くしおり紐固定用クリップであって、本のページの間に介されるしおり紐が結ばれる細いリング形態の環部と、上記環部から長く延びて、本の綴り部の外面に固定される外面クリップ部と、上記環部から外面クリップ部と間隔を置いて外面クリップより長く延びて、端部へ行くほど外面クリップ部に一層近接するように延びて、端部が外面クリップ部方向に折曲され、本の綴り部の内面に弾性的に固定される内面クリップ部とからなることを特徴とする。
【００１０】
そして、上記内面クリップ部の端部は、歯形で形成されることを特徴とする。
【００１１】
また、上記環部、外面クリップ部、及び内面クリップ部は、針金、ステンレス、鋼鉄、合成樹脂の中から選択された１種の材質により一体成形されることを特徴とする。
【００１２】
一方、上記環部、外面クリップ部、及び内面クリップ部は、合成樹脂材質からなり、その内部に鉄心が埋め込まれることを特徴とする。
【００１３】
好ましくは、上記外面クリップ部は内面クリップ部より幅が広く、本の綴り部の外面と接触する上記外面クリップ部の面は平面であることを特徴とする。
【発明の効果】
【００１４】
このように構成された本発明のしおり紐固定用クリップは、しおり紐の着脱が便利で、かつ容易に離脱できないので、多様な書籍に利用が可能であり、紛失が防止され、本のページが損傷されないだけでなく、複数のページを一度に表示することができ、高級な雰囲気を演出し、かつ広告機能ができる有用な効果を発揮する。
【００１５】
本発明は、記載された具体例に対してのみ詳細に説明されたが、本発明の思想と範囲内で多様に変更または変形して実施できることは、本発明が属する技術分野の当業者には自明なことであり、したがって、そのような変更または変形は添付された特許請求範囲に属すると言うことができる。
【発明を実施するための最良の形態】
【００１６】
以下、本発明の好ましい実施形態を添付した図面を参照しながら詳細に説明すると、次の通りである。
【００１７】
図１は本発明に係るしおり紐固定用クリップを示す斜視図であり、図２は本発明に係るしおり紐固定用クリップにしおり紐が結び付けられた状態を示す斜視図であり、図３は本発明に係るしおり紐固定用クリップの使用状態を示す斜視図である。
【００１８】
図１乃至図３に示すように、本発明のしおり紐固定用クリップは、略∩形態であり、環部１０、外面クリップ部２０、及び内面クリップ部３０からなる。
【００１９】
環部１０は、細いリング形態であって、本のページの間に介在させて表示するしおり紐（Ｌ）が環に１つまたは複数個で結ばれる。
【００２０】
外面クリップ部２０は、本のカバー（Ｃ）の中で、綴り部（Ｂ）の外面に接触及び固定されるものであって、環部１０から長く延びる。
【００２１】
内面クリップ部３０は、綴り部（Ｂ）の内面に接触及び固定されるものであって、環部１０から外面クリップ部２０と間隔（綴り部（Ｂ）が挿入される程）を置いて延びるが、この際、綴り部（Ｂ）の内面に安定的に置かれるように、外面クリップ部２０より長く延びる。
【００２２】
内面クリップ部３０は、綴り部（Ｂ）の内面に弾性的に固定されるために、端部へ行くほど外面クリップ部２０に近接するように延びて、摩擦により固定力を維持するように端部が外面クリップ部２０方向に直角折曲される。
【００２３】
本発明の一実施形態であって、図１乃至図３に示すように、針金を利用して環部１０、外面クリップ部２０、及び内面クリップ部３０を成形する場合は、針金を３６０゜回転折曲させて環部１０を形成した後、内面クリップ部３０の端部を外面クリップ部２０方向に折曲する。
【００２４】
図４乃至図６は本発明に係るしおり紐固定用クリップの一実施形態を示す図（正面図及び右側面図）であり、図７乃至図９は本発明に係るしおり紐固定用クリップの他の実施形態を示す図（正断面図及び右側面図）である。
【００２５】
図４乃至図９に示すように、本発明の他の実施形態であって、環部１０、外面クリップ部２０、及び内面クリップ部３０を製造が容易で、かつ弾性力を有するように、ステンレス、鋼鉄、または合成樹脂材質などにより一体成形することができる。
【００２６】
この場合、内面クリップ部３０の折曲された端部を強い摩擦力を有するように複数個の歯形（図５、６、８、及び９）で成形することができる。
【００２７】
そして、図７乃至９に示すように、本発明の更に他の実施形態であって、環部１０、外面クリップ部２０、及び内面クリップ部３０を合成樹脂材質で成形する場合は、耐久力と弾性力などを強化するために、その内部に鉄心４０が埋め込まれることができる。
【００２８】
これに加えて、外面クリップ部２０は、綴り部（Ｂ）の外面に安定的に接触及び固定されるために、各右側面図のように、内面クリップ部３０より多少幅が広いだけでなく、綴り部（Ｂ）の外面と接触する部分は完全な平面を形成することが好ましい。
【００２９】
上記のように構成された本発明のしおり紐固定用クリップは、次のように作用する。
【００３０】
本発明のしおり紐固定用クリップを書籍に装着する過程を説明すると、まず、図１乃至図３に示すように、リング形態の環部１０にしおり紐（Ｌ）を結び、環部１０を手でつかんで、本カバー（Ｃ）の綴り部（Ｂ）の上段部の両側面に外面クリップ部２０と内面クリップ部３０を各々挟む。
【００３１】
すると、外面クリップ部２０は、綴り部（Ｂ）の外面に接触及び固定され、内面クリップ部３０は開きながら綴り部（Ｂ）の内面に弾性的に接触及び固定されて、容易に離脱しないながらも本のページが全く損傷されず、しおり紐（Ｌ）は本のページの間を横切ってその端部が本の下へ長く露出する。
【００３２】
この際、環部１０が本の上部に露出するため、取付が容易であるので着脱が便利であり、環部１０に複数個のしおり紐（Ｌ）を結べ、この場合に本のページの多数の個所を一度に表示することができ、高級な感じを持つようにすることができる。
【００３３】
また、外面クリップ部２０が内面クリップ部３０より幅が広くて、綴り部（Ｂ）の外面と接触する部分が完全な平面を形成するので、綴り部（Ｂ）の外面に安定的に接触及び固定される。
【００３４】
そして、内面クリップ部３０が端部へ行くほど、外面クリップ部２０に近接するように延びて、その端部が外面クリップ部２０方向に折曲されるので、綴り部（Ｂ）の内面に弾性的に固定されると共に、摩擦により固定力が維持されて容易に紛失されない。
【００３５】
一方、環部１０、外面クリップ部２０、及び内面クリップ部３０を、ステンレス、鋼鉄、または合成樹脂材質で構成し、内面クリップ部３０の折曲された端部を歯形（図５、６、８、及び９）で成形すると、弾性力とより強い摩擦力を有することができる。
【００３６】
これに加えて、図７乃至図９のように、環部１０、外面クリップ部２０、及び内面クリップ部３０を合成樹脂材質で成形する際、その内部に鉄心４０を埋め込む場合、耐久力と弾性力が一層補強される。
【００３７】
本発明のしおり紐固定用クリップを他の書籍に使用しようとする時には、環部１０をつかんで力を加えて上に引いて、内面クリップ部３０の弾性力と摩擦力を解除させる。すると、そのクリップは、その書籍から容易に分離する。しおり紐（Ｌ）の端部が擦れて美観上良くないと、環部１０の結び目を解き、 便利に新たなしおり紐（Ｌ）に交換することができる。
【００３８】
この他にも、環部１０にしおり紐と共に広告が掲載された様々な販促物を結ぶことにより、しおりを使用すると共に、多様な商品を簡便に広報することができる。
【図面の簡単な説明】
【００３９】
【図１】本発明に係るしおり紐固定用クリップを示す斜視図である。
【図２】本発明に係るしおり紐固定用クリップにしおり紐が結ばれた状態を示す斜視図である。
【図３】本発明に係るしおり紐固定用クリップの使用状態を示す斜視図である。
【図４】本発明に係るしおり紐固定用クリップの一実施形態を示す図である。
【図５】本発明に係るしおり紐固定用クリップの一実施形態を示す図である。
【図６】本発明に係るしおり紐固定用クリップの一実施形態を示す図である。
【図７】本発明に係るしおり紐固定用クリップの他の実施形態を示す図である。
【図８】本発明に係るしおり紐固定用クリップの他の実施形態を示す図である。
【図９】本発明に係るしおり紐固定用クリップの他の実施形態を示す図である。
【図１】
2009513390.tif 000003
【図２】
2009513390.tif 000004
【図３】
2009513390.tif 000005
【図４】
2009513390.tif 000006
【図５】
2009513390.tif 000007
【図６】
2009513390.tif 000008
【図７】
2009513390.tif 000009
【図８】
2009513390.tif 000010
【図９】
2009513390.tif 000011
【国際調査報告】
2009513390.tif 000012
2009513390.tif 000013